(57)【特許請求の範囲】
【請求項１】
（イ）アスコルビン酸の水溶性誘導体を成分(A) 、動植物または微生物由来の有効成分または合成によるこれと同等の有効成分を成分(E) 、前記成分(E) のアスコルビン酸との反応物を成分(R) 、セラミックス成分を成分(C) 、と称するとき、
（ロ）アスコルビン酸に関連する成分である成分(A) または成分(R) の少なくとも一部が、成分(C) との複合体(H) の形態となっていること、
（ハ）その複合体(H) は、
ｉ．成分(C) の少なくとも一部として凝集力のある珪酸ソーダ水溶液を用いると共に、それに他の成分を混合したのち乾燥することにより微粉化を図る方法、または、
ii．成分(C) の少なくとも一部としてコロイダルシリカの分散液を用いると共にその分散液に他の成分を添加してスプレードライすることにより一挙に微粉化を図るスプレードライ法、
により調製したものであること、および、
（ニ）前記複合体(H) を必須とする各成分が、セラミックスでできた成形体(M) の内部または表面に含有または担持されていること、
を特徴とする環境雰囲気改善用の機能性成形体。
【請求項２】
成分(A) が、アスコルビン酸のリン酸、ポリリン酸または硫酸のエステルあるいは該エステルの金属塩である請求項１記載の環境雰囲気改善用の機能性成形体。
【請求項３】
機能性成形体が水と接触可能にされていると共に、水との接触により溶出した成分を含む水がミストに形成可能にされている請求項１記載の環境雰囲気改善用の機能性成形体。
【発明の詳細な説明】
【０００１】
【発明の属する技術分野】
本発明は、室内や車内の雰囲気を精神的および身体的な健康およびリラクシゼーションに貢献する雰囲気に変えることができ、さらには抗微生物性、消臭性、抗酸化性などの機能性も発揮できるようにすることもできる環境雰囲気改善用の機能性成形体に関するものである。
【０００２】
【従来の技術】
（化粧品分野におけるリン酸アスコルビルマグネシウムの使用）
リン酸アスコルビルマグネシウムは、水溶性を有する上、アスコルビン酸（ビタミンＣ）に比し不安定性が改善されており、人体に吸収後は速やかにアスコルビン酸に転換するので、化粧品ないし外用剤への応用が試みられている。
【０００３】
リン酸アスコルビルマグネシウムを植物抽出物と組み合わせて用いることについては、たとえば、以下に引用するような提案がなされている。
【０００４】
特開平６−７２８４９号公報（特許文献１）には、Ｌ−アスコルビン酸またはその水溶性誘導体（Ｌ−アスコルビン酸リン酸エステルマグネシウム塩など）と茶抽出物とを含有する美白化粧料につき開示があり、さらに葛根抽出物を含有していてもよいとの記載がある。これらの成分以外に、タルク、セリサイト、マイカ、カオリン、シリカ、ベントナイト、バーミュキュライト、亜鉛華、雲母、雲母チタン、酸化チタン、酸化マグネシウム、酸化ジルコニウム、硫酸バリウム、ベンガラ、酸化鉄、群青等の粉体を適宜配合してもよいとの記載もある（実施例は見当たらないが）。この文献の美白化粧料は、上記の成分の併用によりメラニン生成抑制作用が得られるため、皮膚の美白効果と日焼け等によるシミやソバカスの要望および治療効果を期待したものである。
【０００５】
特開２００１−１９９８６８（特許文献２）には、人体液または人体液類似の液状組成物と抗酸化剤とを含有する外用剤が示されている。人体液類似の液状組成物としては海水が例示されており、抗酸化剤の例としてはリン酸−Ｌ−アスコルビルマグネシウムや各種植物などが例示されている。一般に外用剤として用いられる成分（無機物質等）を加えてもよいとの記載もある。
【０００６】
特開２００１−４８７７３（特許文献３）には、メラニン産生を抑制する効果を有する植物抽出物とＡＤＦ抑制効果を有する物質とを含有する化粧料が示されており、後者の例としてアスコルビン酸−３−リン酸マグネシウムや茶抽出物が例示されている。
【０００７】
特開平８−９９８２０号公報（特許文献４）には、水溶性ルチンと、活性酸素除去剤または抗酸化剤とを有効成分として含有する皮膚外用剤が示されており、活性酸素除去剤としてカテキンやカテキン誘導体が例示され、抗酸化剤としてリン酸−Ｌ−アスコルビルマグネシウムが例示されている。
【０００８】
特開２０００−２７３０１９（特許文献５）には、ポリマー基体に糖類を構成単位に含む基を共有結合した糖結合ポリマーと、メラニン産生抑制作用を有する物質とを含有する化粧料が示されており、メラニン産生抑制剤としてポリフェノール、アスコルビン酸燐酸マグネシウムなどが例示されている。
【０００９】
（抗微生物性、消臭性を有する機能性材料）
産業用や民生用に使われる基材やコーティング組成物に抗微生物性や消臭性を付与するためには、合成系の薬剤を含有または担持させることが有効であるが、安全性を考えると天然物系の有効成分を用いる方が推奨される。この観点から、茶由来の抽出物（茶葉抽出物、カテキン、サポニン等）をはじめとする種々の植物の抽出物や、キチン、キトサンなどを用いる工夫がなされている。本出願人においても、特に茶由来の抽出物を有効成分として用いて、基材やコーティング組成物に抗微生物性や消臭性を付与する技術につき、相当数の特許出願を行っている。
【００１０】
たとえば、本出願人の出願にかかる特開２０００−２０４２７７（特許文献６）には、カテキン類、サポニン類、茶葉粉末、茶葉抽出物およびタンニン（酸）よりなる群から選ばれた抗微生物性または脱臭性を有する機能性成分と、セラミックス成分とが配合された成形用樹脂の溶融成形物からなる機能性成形物が示されている。
【００１１】
本出願人の出願にかかる特開２０００−２７１２０１（特許文献７）には、カテキン類、サポニン類、茶葉粉末、茶葉抽出物およびタンニン（酸）よりなる群から選ばれた抗微生物性、生理活性または脱臭性を有する機能性成分を、水膨潤性粘土鉱物に担持させた機能性材料が示されている。
【００１２】
【特許文献１】
特開平６−７２８４９号公報
【特許文献２】
特開２００１−１９９８６８
【特許文献３】
特開２００１−４８７７３
【特許文献４】
特開平８−９９８２０号公報
【特許文献５】
特開２０００−２７３０１９
【特許文献６】
特開２０００−２０４２７７
【特許文献７】
特開２０００−２７１２０１
【００１３】
【発明が解決しようとする課題】
化粧品分野においてリン酸アスコルビルマグネシウムを使用する上述の文献は、あくまで人体に直接適用する化粧品または外用剤にかかるものであるにとどまる上、使い切りの用法しか考えられていない。
【００１４】
抗微生物性、消臭性を有する機能性材料にかかる上述の文献は、動植物または微生物由来の有効成分を用いることによりその機能を発揮させているが、これらの有効成分の安定性については限界があり、またこれらの有効成分の本来有する性質を上回る作用効果は期待できない。
【００１５】
本発明は、このような背景下において、室内や車内の雰囲気を、健康感、爽快感、清涼感、快活感（高揚感、気を高める作用）、清潔感、ヒール感（癒し感）、リラックス感など、精神的および身体的な健康およびリラクシゼーションに貢献する雰囲気に変えることができ（つまり空気浴効果）、さらには抗微生物性、消臭性、抗酸化性などの機能性も発揮できるようにすることもできる環境雰囲気改善用の機能性成形体を提供することを目的とするものである。
【００１６】
【課題を解決するための手段】
本発明の環境雰囲気改善用の機能性成形体は、
（イ）アスコルビン酸の水溶性誘導体を成分(A) 、動植物または微生物由来の有効成分または合成によるこれと同等の有効成分を成分(E) 、前記成分(E) のアスコルビン酸との反応物を成分(R) 、セラミックス成分を成分(C) 、と称するとき、
（ロ）アスコルビン酸に関連する成分である成分(A) または成分(R) の少なくとも一部が、成分(C) との複合体(H) の形態となっていること、
（ハ）その複合体(H) は、
ｉ．成分(C) の少なくとも一部として凝集力のある珪酸ソーダ水溶液を用いると共に、それに他の成分を混合したのち乾燥することにより微粉化を図る方法、または、
ii．成分(C) の少なくとも一部としてコロイダルシリカの分散液を用いると共にその分散液に他の成分を添加してスプレードライすることにより一挙に微粉化を図るスプレードライ法、
により調製したものであること、および、
（ニ）前記複合体(H) を必須とする各成分が、セラミックスでできた成形体(M) の内部または表面に含有または担持されていること、
を特徴とするものである。
【００１７】
【発明の実施の形態】
以下本発明を詳細に説明する。
【００１８】
（成分(A) ／アスコルビン酸の水溶性誘導体(A) ）
アスコルビン酸の水溶性誘導体(A) としては、好適には、アスコルビン酸（正確にはＬ−アスコルビン酸、つまりビタミンＣ）のリン酸、ポリリン酸または硫酸のエステルあるいは該エステルの金属塩があげられる。金属塩の例は、Ｎａ塩、Ｋ塩、Ｍｇ塩、Ｃａ塩、Ａｌ塩、Ｆｅ塩などである。
【００１９】
アスコルビン酸の水溶性誘導体(A) の中で特に好ましいものは、Ｍｇの効果も加わるアスコルビン酸のリン酸エステルのＭｇ塩（つまりリン酸−Ｌ−アスコルビルマグネシウム）である。この化合物は、化学的方法のほか、酵素法によっても製造することもできる。
【００２０】
（成分(E) ／有効成分(E) ）
有効成分(E) としては、動植物または微生物由来の有効成分または合成によるこれと同等の有効成分であって、抗微生物性（抗菌性、殺菌性、静菌性、抗カビ性、抗ウィルス性を包含）、消臭性（脱臭性、悪臭消去性、有害ガス成分除去性を包含）、リラクシゼーション性、アロマテラピー性、抗アレルギー性、抗酸化性などの性質のうちの少なくとも１種の性質を有する成分があげられる。
【００２１】
以下、有効成分(E) のいくつかの例を列挙する。
・カテキン類、サポニン類、茶葉粉末、茶葉抽出物、タンニン（酸）、カフェイン、メチルカテキン。
・ティートリー、パイン、クローブ、セージ、ナツメグ、イチョウ葉、モミ殻、ネギ類、ナンキョウ、カフィライム、コーヒー豆、グァバ茶、ナナカマド、シコン、タケまたはクマザサ茶由来の精油ないし抽出物。
・次に例示するような植物由来の精油ないし抽出物、たとえば、アニス、アミリス、アンジェリカ、安息香樹、イモーテル、イランイラン、エキナセア、エレミ、オリガナム、オレンジ、カミツレ（カモミール）、カユプテ、ガーリック、カルダモン、ガルバナム、カンファー（クスノキ）、キャラウェイ、キャロットシード、グアヤックウッド、クミン、クラリセージ、グレープフルーツ、コリアンダー、サイプレス、サンダルウッド（ビャクダン）、サントリナ、シダーウッド、シトロネラ、シナモン、ジャスミン、ジュニパー、ジンジャー（ショウガ）、スターアニス、スパイクラベンダー、スペアミント、ゼラニウム、タイム、タジェティーズ、タラゴン、タンジェリン、ディル、テレビン、ニアウリ、乳香樹、ネロリ、バイオレット、バジル、バーチ、パチュリー、バーベナ、バラ、パルマローザ、ヒソップ、ピメント、ファー（モミ）、ウイキョウ（フェンネル）、プチグレン、ブラックペッパー、ベチバー、ペパーミント、ベルガモット、ライムブロッサム（ボダイジュ花）、マージョラム、マートル、マンダリン、メリッサ、ミルラ（没薬）、セイヨウノコギリソウ（ヤロウ）、ユーカリ、ライム、ラバンジン、ラベンダー、リツェアクベバ、レモン、レモングラス、ローズウッド、ローズヒップ、ローズマリー、ローレルなど。
・次に例示するような植物由来の精油ないし抽出物、たとえば、アオキ、アオギリ、アカネ、アカメガシワ、アカヤジオウ、アロエ、アンズ、イカリソウ、イタドリ、イチイ、イチジク、イノコズチ、ウコン、ウンシュウミカン、エビスグサ、エンジュ、オウレン、オオバコ、オケラ、オタネニンジン、オトギリソウ、カキ、カギカズラ、カキドオシ、カノコソウ、カラシナ、カラスビシャク、カワラヨモギ、カンゾウ、キカラスウリ、キキョウ、キササゲ、ギシギシ、キハダ、キバナオウギ、キンミズヒキ、クコ、クズ、クチナシ、クロモジ、クワ、ゲンノショウコ、ゴオウ、コガネバナ、ゴシュユ、サジオモダカ、サネブトナツメ、サルトリイバラ、サンシュユ、サンショウ、シソ、シャクヤク、ジャノヒゲ、ショウガ、スイカズラ、スギナ、セリ、センキュウ、センブリ、ダイオウ、ダイダイ、タラノキ、タンジン、タンポポ、ツヅラフジ、ツルドクダミ、ツワブキ、トウキ、ドクダミ、トリカブト、ナツメ、ナルコユリ、ナンテン、ニガキ、ニワトコ、ニンニク、ノイバラ、ハトムギ、ハナスゲ、ハナミョウガ、ハブソウ、ハマスゲ、ハマボウフウ、ヒキオコシ、ヒルガオ、ビワ、ビンロウ、フジバカマ、ベニバナ、ボタン、マオウ、マタタビ、ミシマサイコ、ムクゲ、メハジキ、モモ、ヤマノイモ、ユキノシタ、ヨモギ、リンドウ、クジン、サイコ、オウバク、ハッカ、ジオウ、ウコン、トウキ、ブクリョウ、ケイヒ、オウゴン、スオウ、レンギョウ、チモ、チョウジ、シロナンテン、アセンヤク、クマザサ、オウギ、ビャクシ、ケイガイ、ハクセンビ、ペッパー、ワサビ、セロリ、パセリ、オレガノ、柑橘類種子、タデ、大豆、ブドウ果皮、ホコッシ、モウソウチク、ピメンタ、エゴノキ、カワラヨモギ、ヒノキ、ホオノキ、レンギョウ、モッコウ、リンゴ、霊芝、ヤマブシタケなど、さらには、これらのうち生薬または漢方薬の抽出物を組み合わせたもの、たとえば、黄連解毒湯、消風散、麻杏よく甘湯、葛根湯、十味敗毒湯、荊芥連翹湯、苦参湯、荊防敗毒湯、蛇床子湯など。
・洋ガラシ由来の配糖体。
・除虫菊またはそれに含まれる成分。
・植物中に含まれる成分と同等の合成物、たとえば、ワサビやカラシの有効成分であるアリルイソチオシアネート、ニコチン、エフェドリンなど。
・ヒアルロン酸またはアガリスク茸由来の多糖類。
・動植物または微生物由来の蛋白質またはその分解物。たとえば、しらこ蛋白（プロタミン）；ペクチン分解物；卵白、イチジクなどの低分子量の塩基性蛋白質であり酵素でもあるリゾチーム；ポリリジンをはじめとするポリアミノ酸またはその塩。
・アミノ酸またはその誘導体。たとえば、Ｎ−ステアリル−Ｌ−グルタミン酸塩、Ｎ−ラウリル−Ｌ−グルタミン酸塩、Ｎ−アシルメチルタウリン誘導体等のアミノ酸の金属石鹸（金属イオンはＡｇ等の抗菌性金属が適当である）；γ−アミノ酪酸（たとえば玄米から得られるもの）；テアニン（γ−グルタミルエチルアミド）。
・麹酸（主成分は５−オキシ−２−オキシメチル−γ−ピロン）または紅麹分解物。
・アスコルビン酸（ビタミンＣ）、ビタミンＤ（特にビタミンＤ3 ）、ビタミンＥ、プロビタミン。
・カロチノイド、カロチン類。
・ゼラチン、ケラチナミン。
・ステビア。
・クエン酸、コハク酸、シュウ酸、リンゴ酸、マロン酸などの有機酸。
・キチン、キトサンなどの多糖類、ミツバチが採取した植物性樹脂成分と自らの分泌物とが混ぜ合わされた膠状物質であるプロポリス。
植物粉砕物、動物粉砕物、微生物またはその粉砕物、たとえば、モミガラ粉砕物、竹粉、竹炭粉砕物、ホタテ貝殻の焼成物の粉砕物、霊芝粉砕物、アガリスク茸粉砕物など。
【００２２】
（成分(R) ／反応物(R) ）
反応物(R) としては、上記の有効成分(E) のアスコルビン酸との反応物があげられる。たとえば、エピガロカテキンガレート、エピカテキンガレート、エピカテキン、エピガロカテキン等のカテキン類に代表されるポリフェノール化合物とアスコルビン酸との反応物が例示できる。特に重要なものは、エピガロカテキンガレートとアスコルビン酸との縮合反応物である 8-C-ascorbyl(-)-epigallocatechin 3-O-gallate である。
【００２３】
（成分(C) ／セラミックス成分(C) ）
セラミックス成分(C) としては、次のようなものが例示できる。重複して記載しているものもある。
・含水ケイ酸ゲルを経て得られるシリカゲル。
・ゾル状または溶液状の無機質凝集剤、殊に、ゾル状の無水ケイ酸または溶液状のケイ酸塩（ケイ酸ナトリウムやケイ酸カリウム）。ゾル状の無水ケイ酸には、水を媒体とする通常のコロイダルシリカのほか、アルコール等の有機溶媒を媒体とするオルガノシリカゾルがある。これらの中から適切なものを選んで用いれば、その凝集力を利用して後述のように有効成分(E) （または反応物(R) ）との複合化を図ることができる。
・粘土鉱物、たとえば、カオリン、ベントナイトなど。
・酸化物、たとえば、アルミナ、チタニア、シリカ、ジルコニア、マグネシア、酸化亜鉛、酸化銅（殊に酸化第一銅）などの酸化物。
・銅塩（殊に第一銅塩）。
・水酸化物、たとえば、アルミニウム、亜鉛、マグネシウム、カルシウム、マンガンなどの水酸化物。
・ミョウバンなどの複合酸化物。
・窒化物（窒化ケイ素、窒化ホウ素、窒化チタン等）、炭化物（炭化ケイ素、炭化ホウ素等）、ホウ化物。
・ケイ酸の多価金属塩、たとえば、ケイ酸のアルミニウム塩、亜鉛塩、マグネシウム塩、カルシウム塩、マンガン塩など。
・ケイ酸のアルカリ金属塩、たとえば、ケイ酸のリチウム塩、ナトリウム塩、カリウム塩など。
・リン酸、硫酸、硝酸、炭酸などの無機酸の多価金属塩（アルミニウム、亜鉛、マグネシウム、カルシウム、マンガン等）やアルカリ金属塩。
・アルカリ金属やアルカリ土類金属のフッ化やケイフッ化物。
・水を吸って膨潤する性質を有する粘土鉱物、たとえば、セピオライト、バーミキュライト、ベントナイト、セリサイト粘土などを用いることもできる。これらの中では、特異な繊維状構造を有するセピオライトが特に重要である。
・ゼオライト、クリストバライト、ケイ藻土。
・タルク。
・天然マイカ、たとえば、絹雲母（セリサイト）、白雲母（マスコバイト）、金雲母（フロゴパイト）、フッ素金雲母、着色元素が結晶中に配位した着色マイカ、雲母チタン、紫外線吸収マイカなど。
・光触媒酸化チタンなどの無機質光触媒。
【００２４】
（複合体(H) ／アスコルビン酸関連成分のセラミックス成分(C) との複合体）
本発明においては、アスコルビン酸に関連する成分である成分(A) または成分(R) の少なくとも一部が、成分(C) との複合体(H) の形態となっていることが必要である。その複合体(H) は、
ｉ．成分(C) の少なくとも一部として凝集力のある珪酸ソーダ水溶液を用いると共に、それに他の成分を混合したのち乾燥することにより微粉化を図る方法、または、
ii．成分(C) の少なくとも一部としてコロイダルシリカの分散液を用いると共にその分散液に他の成分を添加してスプレードライすることにより一挙に微粉化を図るスプレードライ法、
のいずれかにより調製される。なお、複合体となすにあたっては、ｐＨ調整剤を用いて、混合系を最適のｐＨ（殊に酸性側）に設定することが好ましい場合が多い。成分(A), (R)と成分(C) との複合は、成分(A), (R)の安定性、持続性、徐放性の点で有利である。
【００２５】
（環境雰囲気改善用の機能性成形体／成形体(M) ）
本発明の環境雰囲気改善用の機能性成形体は、上記の複合体(H) を必須とする各成分が、セラミックスでできた成形体(M) の内部または表面に含有または担持されているものである。
【００２６】
セラミックスでできた成形体(M) の形状は、ハニカム状、球状、円柱状、棒状、円筒状、板状、ブロック状、物品形状（置物等）、不定形をはじめ、任意の形状とすることができる。
【００２７】
成形体(M) の内部または表面への各成分の含有または担持は、内添（練り込みないし配合）、含浸、吸着ないし吸収、塗布など任意の方法により行うことができる。塗布等に際してはバインダーを併用することもでき、バインダーの種類を選択することにより、徐放性をコントロールすることができる。
【００２８】
本発明の雰囲気改善用の機能性成形体を水と接触可能にし、水との接触により溶出した成分を含む水がミストに形成可能にされているようにすることもできる。ミストにして空気雰囲気中に飛散させる方法は速効性の点ですぐれており、そのようにする方法の一例は、加湿機などに用いる水に機能性成形体を浸漬ないし接触させて上述の成分(A), (E), (R) を水中に徐放させると共に、空気雰囲気中に飛散させる方法である。
【００２９】
なお、本発明の機能性成形体にあっては、上記の各成分のほかに、必要に応じ、トルマリンや微放射性物質をはじめとする種々のマイナスイオン発生性物質、遠赤外線発生性物質をはじめとする適宜の他の物質を併用することができる。たとえばマイナスイオン発生性物質を併用すると、空気雰囲気中に成分(A), (E), (R) が一緒に出やすくなるという利点もある。
【００３０】
（用途）
本発明の環境雰囲気改善用の機能性成形体は、エアコンディショナ、空気清浄機、掃除機等にフィルタやファンなどとして設置して、室内、車内、庫内（収納庫や冷蔵庫内）の環境雰囲気を改善する共に、場合によっては抗微生物性や消臭性を発揮させるための部材として有用である。また、ミストを発生させることにより環境雰囲気（環境空気）を改善するための加湿機（スチーム加湿機や超音波加湿機）用の付設部材、ご飯の黄変を防いだり室内を加湿雰囲気にすることのできる炊飯器用の付設部材、室内を加湿雰囲気にすることもできる湯沸かしポットの付設部材、咽頭に水蒸気を送り込むための医療用具の付属部材、水蒸気を利用する美顔器の付設部材、歯ブラシの構成部材をはじめ、種々の用途に好適に用いることができる。
【００３１】
【実施例】
次に実施例をあげて本発明をさらに説明する。
【００３２】
（原材料の準備）
成分(A), (E), (R), (C)として、次のものを準備した。
成分(A)
(a1): リン酸−Ｌ−アスコルビルマグネシウム
(a2): 硫酸−Ｌ−アスコルビルマグネシウム
成分(E)
(e1): 茶由来の純度３０重量％のカテキン
(e2): 茶由来の純度３０重量％のサポニン
(e3): 水蒸気蒸留法により得たティートリー精油
(e4): 溶媒抽出法により得たジンジャー抽出物
成分(R)
(r1): エピガロカテキンガレートとアスコルビン酸との縮合物である8-C-ascorbyl(-)-epigallocatechin 3-O-gallate
成分(C)
(c1): シリカ分４０重量％と水６０重量％とからなるコロイダルシリカ
(c2): 粉砕シリカ
(c3): 固形分４０％の珪酸ソーダ水溶液
(c4): ゼオライト微粉
【００３３】
（組成物（複合体(H) ）の取得）
上述の原材料を用いて、混合乾燥法（各成分（いずれも珪酸ソーダ水溶液(c3)を含む）を希釈溶媒としてのエタノールを使用して摩砕下に混合した後、ドライアップし、さらに篩分けして粗粒分を除去する方法）またはスプレードライ法（コロイダルシリカ(c1)に各成分を混合し、４流体ノズルより噴射して一挙に乾燥微粉を得る方法）により、表１の配合割合の組成物（複合体(H)
）を調製した。方法１は混合乾燥法、方法２はスプレードライ法である。数値は重量％である。
【００３４】
【表１】
0004388285.tif 000002
【００３５】
（参考例／ポリプロピレン成形体への内添）
ポリプロピレン粉体に、上記で得た組成物（複合体(H)
）を成分(A) 、成分(E) および
成分(R) の合計量が３０重量％になるように混合し、一旦溶融押出してからペレット化し、そのペレット３３重量部とポリプロピレンペレット６７重量部とを混合して、フィラメント状に溶融成形した。このフィラメントを用いてエアコンディショナ用のフィルタを作製した。
【００３６】
（官能試験）
やや湿気の多い湿度８０％ＲＨ、および湿気の多い湿度１００％ＲＨの条件下に、上記で得たフィルタを装着したエアコンディショナを３時間作動させ、健康感、爽快感、清涼感、快活感（高揚感、気を高める作用）、清潔感、ヒール感（癒し感）またはリラックス感の少なくとも１つが得られるかどうかを、男女各１０名、計２０名のパネラー（年代は１０代から７０代まで）により次の基準で判断してもらった。
【００３７】
評価は、何も担持させないポリプロピレン製フィルタを装着した場合を対照例とし、その対照例に比し、効果が感じられる場合を３点、やや効果が感じられる場合を２点、ごくわずかに効果が感じられる場合を１点、効果が感じられない場合を０点とした。かえって悪化する場合については、その度合いに応じて、−１点、−２点、−３点としたが、マイナス評価の事例はなかった。結果を表２（湿度８０％ＲＨの場合）および表３（湿度１００％ＲＨの場合）に示す。点数は、男女別およびトータルの合計点数である。
【００３８】
【表２】
0004388285.tif 000003
【００３９】
【表３】
0004388285.tif 000004
【００４０】
（実施例／セラミックスハニカムへの担持）
セラミックス成分(C) に上述の組成物（複合体(H) ）を配合し、トータルの(c1), (c2), (c3), (c4)の固形分の重量比が３：３：２：２となるようにしてから、乾燥および熱処理することにより、円筒状のセラミックスハニカムからなる成形体(M) を製造した。成形体(M) 中の成分(A), (E), (R) の合計量の割合は、１０重量％になるようにした。
【００４１】
（官能試験）
この成形体(M) を加湿機の水槽に浸漬して、加湿機を２時間作動させ、健康感、爽快感、清涼感、快活感（高揚感、気を高める作用）、清潔感、ヒール感（癒し感）またはリラックス感が得られるかどうかを、男女各１０名、計２０名のパネラー（年代は１０代から７０代まで）により、上述の基準で判断してもらった。マイナス評価の事例はなかった。
結果を表４に示す。
【００４２】
【表４】
0004388285.tif 000005
【００４３】
【発明の効果】
本発明の環境雰囲気改善用の機能性成形体を用いれば、室内や車内の雰囲気を、健康感、爽快感、清涼感、快活感（高揚感、気を高める作用）、清潔感、ヒール感（癒し感）、リラックス感など、健康およびリラクシゼーションに貢献する雰囲気に変えることができる。さらには、抗微生物性、消臭性、抗酸化性などの機能性も発揮できるようにすることもできる。